(57)【要約】【課題】テレビ放送信号を生成するデジタル変調器において、映像のない音声（音楽）だけを放送した場合に、端末側のテレビ受信機に音声（音楽）を聴くのに邪魔になる画像が表示されるのを防止する。【解決手段】デジタル変調器は、映像信号及び音声信号を入力するための入力端子１２、１４、その入力信号を符号化する符号化部２４、符号化部にて符号化されたデジタルデータに付加データを多重化する多重化部２６、多重化部にて生成されたＴＳ信号からテレビ放送信号を生成する変調部２８を備え、放送用信号の入力部には、音声信号及び映像信号を検出する検出部１６、１８、黒画面の映像信号を生成する黒画面生成部２０、検出部１６、１８にて音声信号が検出され、映像信号が検出されない場合に、符号化部２４に黒画面生成部２０にて生成された映像信号を入力する映像切換部２２、が設けられる。【選択図】図１
2016010007.tif 000002
【特許請求の範囲】
【請求項１】
映像信号及び音声信号などの放送用信号を外部から入力するための入力部と、
前記入力部を介して入力された前記放送用信号を符号化する符号化部と、
該符号化部にて符号化されたデジタルデータと放送用の付加データとを多重化して、放送用のＴＳ信号を生成する多重化部と、
前記多重化部にて生成されたＴＳ信号を、所定放送チャンネルのテレビ放送信号に変調して出力する変調部と、
を備えたデジタル変調器において、
前記入力部に、
外部から入力された前記映像信号及び前記音声信号をそれぞれ検出する映像検出部及び音声検出部と、
黒をベースとする特定画面の映像信号を生成する特定画面生成部と、
前記音声検出部にて前記音声信号が検出され、前記映像検出部にて前記映像信号が検出されない場合に、前記特定画面生成部にて生成された映像信号を前記符号化部に入力する映像切換部と、
を設けたことを特徴とするデジタル変調器。
【請求項２】
前記映像切換部は、前記音声検出部にて予め設定された設定時間以上音声信号が検出されないときには、前記特定画面生成部にて生成された映像信号を前記符号化部に入力するのを禁止することを特徴とする請求項１に記載のデジタル変調器。
【発明の詳細な説明】
【技術分野】
【０００１】
本発明は、ホテル等の施設で、所定チャンネルのテレビ放送信号を使った自主放送を行うのに用いられるデジタル変調器に関する。
【背景技術】
【０００２】
従来、自主放送システムにて利用されるデジタル変調器は、自主放送用の映像信号及び音声信号を符号化し、その符号化したデジタルデータ（映像・音声データ）と番組表等の付加データとを多重化することで、放送ＴＳ（Transport Stream）と呼ばれる放送データを生成し、その生成した放送データを、所定放送チャンネルの放送信号にＯＦＤＭ変調するように構成されている（例えば、特許文献１等参照）。
【先行技術文献】
【特許文献】
【０００３】
【特許文献１】特開２０１１−１９９８５９号公報
【発明の概要】
【発明が解決しようとする課題】
【０００４】
ところで、従来のデジタル変調器は、入力信号が音声信号だけで、映像信号がない場合には、所謂ブルーバックといわれる青色の画像を生成し、これを映像データとして放送データ（放送ＴＳ）を生成するようにされている。
【０００５】
このため、例えば、自主放送で、映像のない音楽だけを放送した場合、端末側のテレビ受信器で自主放送を選局すると、テレビの表示画面が青色になってしまい、音楽を聴くのに邪魔になるという問題があった。
【０００６】
本発明は、こうした問題に鑑みなされたものであり、テレビ放送信号を生成するデジタル変調器において、映像のない音声（音楽）だけを放送した場合に、端末側のテレビ受信器に音声（音楽）を聴くのに邪魔になる画像が表示されるのを防止することを目的とする。
【課題を解決するための手段】
【０００７】
かかる目的を達成するためになされた請求項１に記載のデジタル変調器は、
映像信号及び音声信号などの放送用信号を外部から入力するための入力部と、
前記入力部を介して入力された前記放送用信号を符号化する符号化部と、
該符号化部にて符号化されたデジタルデータと放送用の付加データとを多重化して、放送用のＴＳ信号を生成する多重化部と、
前記多重化部にて生成されたＴＳ信号を、所定放送チャンネルのテレビ放送信号に変調して出力する変調部と、
を備え、
前記入力部に、
外部から入力された前記映像信号及び前記音声信号をそれぞれ検出する映像検出部及び音声検出部と、
黒をベースとする特定画面の映像信号を生成する特定画面生成部と、
前記音声検出部にて前記音声信号が検出され、前記映像検出部にて前記映像信号が検出されない場合に、前記特定画面生成部にて生成された映像信号を前記符号化部に入力する映像切換部と、
を設けたことを特徴とする。
【０００８】
また、請求項２に記載のデジタル変調器は、請求項１に記載のデジタル変調器において、
前記映像切換部は、前記音声検出部にて予め設定された設定時間以上音声信号が検出されないときには、前記特定画面生成部にて生成された映像信号を前記符号化部に入力するのを禁止することを特徴とする。
【発明の効果】
【０００９】
請求項１に記載のデジタル変調器においては、上述した従来のデジタル変調器と同様、放送用信号を入力するための入力部と、放送用信号を符号化する符号化部と、符号化部にて符号化されたデジタルデータと放送用の付加データとを多重化する多重化部と、多重化部にて生成されたＴＳ信号を所定放送チャンネルのテレビ放送信号に変調する変調部とを備える。
【００１０】
そして、入力部には、映像検出部、音声検出部、特定画面生成部、及び、映像切換部が設けられ、音声検出部にて音声信号が検出され、且つ、映像検出部にて映像信号が検出されないときには、映像切換部が、特定画面生成部にて生成された映像信号を符号化部に入力する。
【００１１】
このため、例えば、自主放送で、映像のない音楽だけを放送する場合、本発明のデジタル変調器を利用すれば、端末側のテレビ受信器を使って音楽を聴くことができるだけでなく、テレビ受信器の表示画面を黒にして、表示画面が邪魔になるのを防止できる。
【００１２】
また、映像切換部が、符号化部に入力する映像信号を、特定画面生成部にて生成された映像信号に切り換えるのは、音声検出部にて音声信号が検出されているときであり、音声検出部にて音声信号が検出されていないときには、映像信号が特定画面の映像信号に切り換えられることはない。
【００１３】
このため、外部から放送用信号（音声信号及び映像信号）の入力がない場合に、端末側のテレビ受信器の表示画面が黒になるのを防止できる。従って、この場合、端末側の使用者は、テレビ受像器の表示画面からテレビ受信器の電源が入っていていることを確認できるようになり、テレビ受信器の電源がオン状態のまま放置されてしまうのを防止できる。
【００１４】
なお、音声信号は放送内容によって変化することから、実際には音声信号の入力がある場合であっても、音声検出部にて、音声信号が検出されないことも考えられる。
このため、映像切換部は、請求項２に記載のように、音声検出部にて予め設定された設定時間以上音声信号が検出されないときに、特定画面生成部にて生成された映像信号を符号化部に入力するのを禁止するようにするとよい。
【００１５】
このようにすれば、放送内容によって音声信号のレベルが一時的に低下したときに、テレビ受信器での表示画面が、黒をベースとする特定画面から映像信号なしの画面（ノイズ、映像なしの案内画面、ブルーバック等）に切り換えられるのを防止できる。
【００１６】
なお、本発明において、黒をベースとする特定画面としては、後述の実施形態に記載の黒色の画面（黒画面）であってもよく、グレー、濃紺など、低輝度の暗い画面であってもよい。また、この特定画面は、黒をベースとする背景に文字を表示した画面であってもよい。つまり、本発明における特定画面は、使用者が音声（音楽）を聴くのに邪魔にならない画面であればよい。
【図面の簡単な説明】
【００１７】
【図１】実施形態のデジタル変調器の構成を表すブロック図である。
【図２】制御部による符号化部への入力信号の切換動作を説明する説明図である。
【発明を実施するための形態】
【００１８】
以下に本発明の実施形態について説明する。
図１に示すように、本実施形態のデジタル変調器２は、放送用信号として、外部から映像信号及び音声信号をそれぞれ入力するための映像入力端子１２及び音声入力端子１４を備え、その入力された放送用信号から、所定放送チャンネルのテレビ放送信号を生成して、端末側に送信するためのものである。
【００１９】
このため、デジタル変調器２には、従来のものと同様、映像入力端子１２及び音声入力端子１４を介して入力された映像信号及び音声信号から、ＨＤ画質にデジタル化された映像・音声データ（例えば、MPEG-2 TS ）を生成する符号化部２４が備えられている。
【００２０】
そして、符号化部２４にて生成された映像・音声データは、多重化部２６に入力され、多重化部２６にて、時刻情報、番組表情報等の各種付加データと多重化されることにより、デジタル放送信号（放送ＴＳ）に変換される。
【００２１】
また、多重化部２６にて生成されたデジタル放送信号（放送ＴＳ）は、変調部２８に入力され、変調部２８にて、所定放送チャンネルの周波数帯のテレビ放送信号であるＯＦＤＭ信号に変調されて、外部（端末側）に出力される。
【００２２】
なお、符号化部２４の動作、多重化部２６にて映像・音声データに付加する不可データ、変調部２８にて生成されるテレビ放送信号の放送チャンネル等は、制御回路３０により設定される。
【００２３】
この制御回路３０は、外部装置（例えば、パーソナルコンピュータや携帯情報端末（タブレット若しくは多機能携帯電話）等）３２との間で無線若しくは有線による通信を行う通信機能を有するマイクロコンピュータにて構成されている。そして、制御回路３０は、外部装置３２からの指令に従い、上記各種設定を行う。
【００２４】
次に、映像入力端子１２及び音声入力端子１４から符号化部２４に至る、映像信号及び音声信号の入力経路（入力部）には、映像信号及び音声信号の有無（詳しくは信号レベル）を検出する映像検出部１６及び音声検出部１８が設けられている。
【００２５】
また、デジタル変調器２には、テレビ受信器の表示画面を黒画面にするための映像信号を生成する黒画面生成部２０が備えられている。
そして、映像入力端子１２から符号化部２４に至る映像信号の入力経路には、符号化部２４に入力される映像信号を、映像入力端子１２から入力された映像信号から、黒画面生成部２０にて生成された黒画面の映像信号に切り換えるための切換スイッチ２２が設けられている。
【００２６】
この切換スイッチ２２は、制御部３０が実行する映像信号切換処理によって、符号化部２４への入力信号が図２に示すようになるよう切り換えられる。
すなわち、映像検出部１６にて映像信号が検出されている場合、切換スイッチ２２は、映像入力端子１２から入力された映像信号を符号化部２４に入力する通常状態に設定される。
【００２７】
このため、映像検出部１６にて映像信号が検出されている場合には、外部から映像入力端子１２及び音声入力端子１４に入力された映像信号及び音声信号が、符号化部２４に入力され、デジタル変調器２からは、この映像信号及び音声信号にて生成されたテレビ放送信号が出力されることになる。
【００２８】
また、映像検出部１６にて映像信号が検出されない場合には、音声検出部１８にて音声信号が検出されていれば、切換スイッチ２２は、黒画面生成部２０にて生成された黒画面の映像信号を入力する側に切り換えられる。
【００２９】
この結果、外部からの入力される放送用信号が音声信号だけである場合には、その音声信号と黒画面生成部２０にて生成された映像信号とが符号化部２４に入力され、端末側のテレビ受信器では、表示画面が黒になった状態で、音声が再生されることになり、使用者は、テレビ受信器の表示画面を気にすることなく、音声（音楽等）を聴くことができる。
【００３０】
一方、映像検出部１６にて映像信号が検出されず、音声検出部１８でも予め設定された一定時間以上音声信号が検出されない場合には、切換スイッチ２２は、映像入力端子１２から入力された映像信号を符号化部２４に入力する通常状態に保持される。
【００３１】
この結果、外部からの放送用信号の入力がない場合には、符号化部２４への映像信号及び音声信号の入力がなくなり、デジタル変調器２から端末側へテレビ放送信号が出力されなくなる。
【００３２】
つまり、外部からの放送用信号の入力がなくなった場合に、デジタル変調器２にて、黒画面の映像信号と無音の音声信号とからなるテレビ放送信号が生成されて、端末側に出力されることはない。
【００３３】
このため、端末側のテレビ受信器が、当該デジタル変調器２からのテレビ放送信号を選局している状態で、当該デジタル変調器２への放送用信号の入力がなくなった場合に、テレビ受信器の表示画面が黒になり、使用者が、その表示画面から、テレビ受像器の電源が入っているのを気付くことができなくなるのを防止できる。
【００３４】
なお、本実施形態では、切換スイッチ２２と制御部３０とにより、本発明の映像切換部としての機能が実現される。
以上、本発明の一実施形態について説明したが、本発明は、上記実施形態に限定されるものではなく、本発明の要旨を逸脱しない範囲内にて種々の態様をとることができる。
【００３５】
例えば、上記実施形態では、符号化部２４、多重化部２６及び変調部２８の動作を設定する制御部３０が、切換スイッチ２２の切り換え（換言すれば黒画面出力の設定）を行うものとして説明したが、各種ゲート回路で構成した専用の切換回路を用いて、符号化部２４への映像信号の入力経路を切り換えるようにしてもよい。また、映像検出部１６が直接切換スイッチ２２を駆動するようにしてもよい。
【００３６】
また、入力部に入力される放送用信号は、アナログの映像信号及び音声信号であるものとして説明したが、これらの放送用信号は、デジタル信号であってもよい。そして、この場合は、映像・音声データを分離した後、制御部３０等のマイコンで、各ストリームを分析して、映像の有無、音声の有無を検出するようにしてもよい。
【００３７】
また、上記実施形態では、特定画面として黒画面を生成する黒画面生成部２０を備えたものについて説明したが、特定画面生成部としては、黒画面生成部２０に代えて、グレー、濃紺など、低輝度の暗い画面を生成するものを利用してもよい。また、特定画面生成部が生成する画面は、黒をベースとする背景に文字を表示した画面であってもよい。
【符号の説明】
【００３８】
２…デジタル変調器、１２…映像入力端子、１４…音声入力端子、１６…映像検出部、１８…音声検出部、２０…黒画面生成部、２２…切換スイッチ、２４…符号化部、２６…多重化部、２８…変調部、３０…制御回路、３０…制御部、３２…外部装置。
【図１】
2016010007.tif 000003
【図２】
2016010007.tif 000004